【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
複数の端末装置と、少なくとも一つの基地局装置とを備える無線システムであって、
前記端末装置と前記基地局装置との間は、複数のキャリヤのいずれかで通信可能であって、
前記基地局装置は、
前記端末装置が、同じタイミングで繰り返し信号を送信する特性を有する第１の端末装置であるか、前記同じタイミングと異なるランダムなタイミングで信号を送信する特性を有する第２の端末装置であるか、を判定し、
前記第１の端末装置が割り当てられているキャリヤを調査し、
前記調査の結果に基づいて、前記第１の端末装置を前記複数のキャリヤに分散して割り当てることを特徴とする無線システム。
【請求項２】
請求項１に記載の無線システムであって、
前記基地局装置は、
前記端末装置の信号送信タイミングを、複数の時間で繰り返し検出し、
忘却係数を用いた加重平均を用いて、前記検出の結果を統計処理することによって、前記端末装置が前記第１の端末装置であるか、前記第２の端末装置であるかを判定することを特徴とする無線システム。
【請求項３】
請求項１又は２に記載の無線システムであって、
前記基地局装置は、割り当てられた端末装置の数が最も多いキャリヤから、割り当てられた端末装置の数が最も少ないキャリヤへ、前記端末装置を移動させる指示をすることを特徴とする無線システム。
【請求項４】
請求項１又は２に記載の無線システムであって、
前記端末装置は、前記基地局装置との間で使用中のキャリヤ以外の他のキャリヤにおける通信状態を取得し、前記取得した通信状態を前記基地局装置に送信し、
前記基地局装置は、前記取得した通信状態が良好な端末装置に、当該他のキャリヤへの移動を指示することを特徴とする無線システム。
【請求項５】
複数の端末装置と、複数のキャリヤで通信可能な基地局装置であって、
前記端末装置が、同じタイミングで繰り返し信号を送信する特性を有する第１の端末装置であるか、前記同じタイミングと異なるランダムなタイミングで信号を送信する特性を有する第２の端末装置であるか、を判定し、
前記第１の端末装置が割り当てられているキャリヤを調査し、
前記調査の結果に基づいて、前記第１の端末装置を前記複数のキャリヤに分散して割り当てることを特徴とする基地局装置。
【請求項６】
請求項５に記載の基地局装置であって、
前記端末装置の信号送信タイミングを、複数の時間で繰り返し検出し、
忘却係数を用いた加重平均を用いて、前記検出の結果を統計処理することによって、前記端末装置が前記第１の端末装置であるか、前記第２の端末装置であるかを判定することを特徴とする基地局装置。
【請求項７】
請求項５又は６に記載の基地局装置であって、
割り当てられた端末装置の数が最も多いキャリヤから、割り当てられた端末装置の数が最も少ないキャリヤへ、前記端末装置を移動させる指示をすることを特徴とする基地局装置。
【請求項８】
請求項５又は６に記載の基地局装置であって、
前記端末装置は、前記基地局装置との間で使用中のキャリヤ以外の他のキャリヤにおける通信状態を取得し、前記取得した通信状態を前記基地局装置に送信し、
前記基地局装置は、前記取得した通信状態が良好な端末装置に、当該他のキャリヤへの移動を指示することを特徴とする基地局装置。
【請求項９】
複数の端末装置と、少なくとも一つの基地局装置とを備える無線システムにおける無線通信方法であって、
前記端末装置と前記基地局装置との間は、複数のキャリヤのいずれかで通信可能であって、
前記方法は、
前記基地局装置が、前記端末装置が同じタイミングで繰り返し信号を送信する特性を有する第１の端末装置であるか、前記同じタイミングと異なるランダムなタイミングで信号を送信する特性を有する第２の端末装置であるか、を判定し、
前記基地局装置が、前記第１の端末装置が割り当てられているキャリヤを調査し、
前記基地局装置が、前記調査の結果に基づいて、前記第１の端末装置を前記複数のキャリヤに分散して割り当てることを特徴とする無線通信方法。
【請求項１０】
請求項９に記載の無線通信方法であって、
前記基地局装置は、前記端末装置の信号送信タイミングを、複数の時間で繰り返し検出し、
前記基地局装置は、忘却係数を用いた加重平均を用いて、前記検出の結果を統計処理することによって、前記端末装置が前記第１の端末装置であるか、前記第２の端末装置であるかを判定することを特徴とする無線通信方法。
【請求項１１】
請求項９又は１０に記載の無線通信方法であって、
前記基地局装置は、割り当てられた端末装置の数が最も多いキャリヤから、割り当てられた端末装置の数が最も少ないキャリヤへ、前記端末装置を移動させる指示をすることを特徴とする無線通信方法。
【請求項１２】
請求項９又は１０に記載の無線通信方法であって、
前記端末装置は、前記基地局装置との間で使用中のキャリヤ以外の他のキャリヤにおける通信状態を取得し、前記取得した通信状態を前記基地局装置に送信し、
前記基地局装置は、前記取得した通信状態が良好な端末装置に、当該他のキャリヤへの移動を指示することを特徴とする無線通信方法。
【手続補正２】
【補正対象書類名】明細書
【補正対象項目名】００３８
【補正方法】変更
【補正の内容】
【００３８】
受信モデム部２５は、受信データをＬ２／Ｌ３部２６に送る。Ｌ２／Ｌ３部２６に送られた受信データは、ユーザデータと制御データとに分離され、ユーザデータはネットワーク側に送られ、制御データは無線管理部（ＲＲＭ）２８に送られて、無線の管理に使われる。特に、接続時の端末のＩＤ等の情報は、データベース部３１に記録される。Ｌ２／Ｌ３部２６は、単位時間当たりにＢＲ及びＳＲを受信した回数を記録する。統計処理部２７は、このような統計量を計数する。ＲＲＭ２８は、計数値が閾値を越えているかを判断し、越えていた場合には、受信したＢＲ及びＳＲに含まれる端末ＩＤを識別し、データベース部３１に記録されている端末群との整合性をチェックする。
【手続補正３】
【補正対象書類名】明細書
【補正対象項目名】００３９
【補正方法】変更
【補正の内容】
【００３９】
チェックの方法について図１０を用いて説明する。図１０（Ａ）に示すように、複数の端末５が繰り返し通信要求を送信しているタイミングＴ１、Ｔ２、Ｔ３、Ｔ４、Ｔ５において、通信要求を集計する。なお、図１０において、アルファベットは端末５のＩＤを示す。
【手続補正４】
【補正対象書類名】明細書
【補正対象項目名】００４０
【補正方法】変更
【補正の内容】
【００４０】
図１０（Ｂ）に、集計結果を示す。端末Ａ〜Ｆは、全てのタイミングＴ１〜Ｔ５において通信要求を送信しているため、高い相関性が検出される。一方、端末Ｋ〜Ｐの通信要求は、タイミングＴ１〜Ｔ５で偶然に検出されただけであるため、複数のタイミングについての総和をとると、同期してトラヒック要求を出している端末と比べて、計数が低くなる。よって、ある特定の時間タイミングの通信要求の数の集計によって、タイミングＴ１〜Ｔ５において通信要求を送信している端末（すなわち、データポスト端末）を特定することができる。
【手続補正５】
【補正対象書類名】明細書
【補正対象項目名】００５４
【補正方法】変更
【補正の内容】
【００５４】
図１５は、ステップ１３の処理の例を説明する図である。図１５には、３つの周波数（Ｆｒｅｑ＃１、Ｆｒｅｑ＃２、Ｆｒｅｑ＃３）で検出されたデータポスト端末と推定される端末がリストアップされている。この時、Ｆｒｅｑ＃２で検出された端末数は、Ｆｒｅｑ＃１で検出された端末数より３多く、Ｆｒｅｑ＃３で検出された端末数より６多い。ロードバランスには所定の閾値が定められており、各周波数のデータポスト端末の数の差が、この閾値以上である場合にロードバランスを実施すると判定する。このとき、最も効果が高くなるように、Ｆｒｅｑ＃２からＦｒｅｑ＃３へ端末をハンドオーバしてロードバランスをする。
【手続補正６】
【補正対象書類名】図面
【補正対象項目名】図６
【補正方法】変更
【補正の内容】
【図６】
2015109539.tif 000001